(57)【要約】【課題】一方向に流れている水を、水車を回転させる力として効率良く用いて発電する水力発電装置を提供する。【解決手段】水力発電装置は、回転軸（４）に放射状に複数設けられた水受け（５ａ）を有している水車（５）と、水車が回転自在に取り付けてあるフレーム（２）と、を備えている。フレーム（２）は、上流側の水を集めて水受けの表側に導く吸込口（９）と、吸込口に隣接して設けられており、水車の水受けの裏側に直接水が当たらないように遮る遮蔽材（１０）と、水受けの表側が吸込口と正面で向かい合う位置から、水受けの表側が下流側に１／８〜１／４回転した位置までの間に、水車の外周に沿って設けられるガイド路（１１）と、回転軸（４）に取り付けられている歯車（６）と、歯車の回転数を増加する変速機（７）を介して連結されている発電用モータ（８）と、を備えている。ガイド路（１１）を備えたことにより、水が水受けを押している経路長を伸ばして、水車（５）を効率良く回転させることができる。【選択図】図１
2014227986.tif 000002
【特許請求の範囲】
【請求項１】
一方向に流れている水の力を用いて発電を行う水力発電装置であって、
回転軸に放射状に複数設けられた水受けを有し、各水受けは水流方向から見て表側が凹状で、裏側が凸状とされている水車と、
前記水車が回転自在に取り付けてあり、前記水流のある場所に固定するためのフレームと、を備えており、
前記フレームは、
上流側の水を集めて前記水受けの表側に導く吸込口と、
前記吸込口に隣接して設けられており、前記水車の水受けの裏側に直接水が当たらないように遮る遮蔽材と、
前記水受けの表側が前記吸込口と正面で向かい合う位置から、該水受けの表側が下流側に１／８〜１／４回転した位置までの間に、水車の外周に沿って設けられるガイド路と、
前記回転軸に取り付けられている歯車と、
前記歯車の回転数を増加する変速機を介して連結されている発電用モータと、を備えていることを特徴とする水力発電装置。
【請求項２】
前記フレームは、前記水受けの表側が前記吸込口と正面で向かい合う位置より下流側にさらに１／２回転した位置から、前記吸込口までの間に、水車の外周に沿って設けられる水の流れ込み抑制部を備えていることを特徴とする請求項１に記載の水力発電装置。
【請求項３】
前記フレームは、前記回転軸が水平方向となるように前記水車を支持し、
前記吸込口、または前記吸込口及び前記遮蔽材の一部または全部を水面下に設置して用いることを特徴とする請求項１又は請求項２に記載の水力発電装置。
【請求項４】
前記フレームは、高さ調節手段を有していることを特徴とする請求項３に記載の水力発電装置。
【請求項５】
前記フレームは、前記回転軸が垂直方向となるように前記水車を支持し、
前記吸込口及び遮蔽材を水面下に設置して用いることを特徴とする請求項１又は請求項２に記載の水力発電装置。
【請求項６】
前記水受けは、前記回転軸方向に伸びる桶形状とされていることを特徴とする請求項１乃至請求項５のいずれか一項に記載の水力発電装置。
【請求項７】
前記水受けは、半球状のお椀形状とされていることを特徴とする請求項１乃至請求項５のいずれか一項に記載の水力発電装置。
【発明の詳細な説明】
【技術分野】
【０００１】
本発明は、一方向に水が流れている河川等で使用する水力発電装置に関する。
【背景技術】
【０００２】
従来、河川等で使用する水力発電装置としては、発電モータに連結されている水車の下端部のみを川面下に沈めた状態で使用するものが知られている（例えば特許文献１を参照）。
【先行技術文献】
【特許文献】
【０００３】
【特許文献１】特開２００９−２４５４３号公報
【発明の概要】
【発明が解決しようとする課題】
【０００４】
しかし、水車の下端部のみを川面下に沈めただけの状態では、水車を効率良く回転できず、発電効率は低かった。
【０００５】
本発明は、上記従来例の問題を解決するためになされたものであり、一方向に流れている水から水車を回転させる力を従来よりも効率良く得て発電を行う水力発電装置を提供することを目的とする。
【課題を解決するための手段】
【０００６】
上記目的を達成するために本発明は、一方向に流れている水の力を用いて発電を行う水力発電装置であって、回転軸に放射状に複数設けられた水受けを有し、各水受けは水流方向から見て表側が凹状で、裏側が凸状とされている水車と、前記水車が回転自在に取り付けてあり、前記水流のある場所に固定するためのフレームと、を備えており、前記フレームは、上流側の水を集めて前記水受けの表側に導く吸込口と、前記吸込口に隣接して設けられており、前記水車の水受けの裏側に直接水が当たらないように遮る遮蔽材と、前記水受けの表側が前記吸込口と正面で向かい合う位置から、該水受けの表側が下流側に１／８〜１／４回転した位置までの間に、水車の外周に沿って設けられるガイド路と、前記回転軸に取り付けられている歯車と、前記歯車の回転数を増加する変速機を介して連結されている発電用モータと、を備えていることを特徴とする。
【０００７】
前記フレームは、前記水受けの表側が前記吸込口と正面で向かい合う位置より下流側にさらに１／２回転した位置から、前記吸込口までの間に、水車の外周に沿って設けられる水の流れ込み抑制部を備えていることが好ましい。
【０００８】
前記フレームは、前記回転軸が水平方向となるように前記水車を支持し、前記吸込口、または前記吸込口及び前記遮蔽材の一部または全部を水面下に設置して用いることが好ましい。
【０００９】
前記フレームは、高さ調節手段を有していることが好ましい。
【００１０】
前記フレームは、前記回転軸が垂直方向となるように前記水車を支持し、前記吸込口及び遮蔽材を水面下に設置して用いることが好ましい。
【００１１】
前記水受けは、前記回転軸方向に伸びる桶形状、又は、半球状のお椀型とされていることが好ましい。
【発明の効果】
【００１２】
本発明によれば、一方向に流れている水のある、例えば河川で使用する水力発電装置において、水受けの下流側に水車の外周に沿って設けたガイド路によって、水が水受けに力を与える経路長を長くすることができ、効率の良い発電を行うことができる。
【図面の簡単な説明】
【００１３】
【図１】本発明の第１実施形態に係る水力発電装置の左側面図。
【図２】同水力発電装置の構成を説明するための一部分解斜視図。
【図３】同水力発電装置の正面図。
【図４】同水力発電装置を水路に複数並べて用いる実施形態の様子を示す斜視図。
【図５】本発明の第２実施形態に係る水力発電装置の左側面図。
【図６】同水力発電装置の右側面図。
【図７】同水力発電装置の正面図。
【図８】同水力発電装置の背面図。
【図９】本発明の第３実施形態に係る水力発電装置の概略構成を示す斜視図。
【図１０】同水力発電装置の上面図。
【図１１】同水力発電装置の左側面図。
【図１２】同水力発電装置の正面図。
【図１３】同水力発電装置の右側面図。
【図１４】同水力発電装置の背面図。
【発明を実施するための形態】
【００１４】
本発明の水力発電装置は、複数の水受けを持つ水車と、水受けの表側に周りの水を導く吸込口と、水受けの表側が吸込口と正面で向かい合う位置から下流側に水車の外周に沿って設けられているガイド路と、水車、吸込口及びガイド路用のフレームと、を備えている。ガイド路を設けたことにより、流れている水が水車の水受けに力を与える経路長を長くすることができ、効率の良い発電を行うことができる。また、吸込口の隣接位置には、水受けの裏側に直接水が当たらないように遮る遮蔽材を設けておく。遮蔽材を設けたことにより、効率良く水受けの表側に水の力を集めることができる。
【００１５】
水受けの表側が吸込口と正面で向かい合う位置から下流側に１／２回転した位置から、吸い込み口までの間に水車の外周に沿って流れ込み抑制部を設けるのが好ましい。遮蔽材に加えて、流れ込み抑制部を設けたことにより、更に効率良く水受けの表側に水の力を集めることができる。
【００１６】
（第１実施形態）
図１乃至図４は、本発明の第１実施形態に係る水力発電装置１を示す。水は、図１の左側面図において右から左、図２の斜視図において右手前から左奥へと流れている。水力発電装置１は略直方体状のフレーム２と、フレーム２の脚部が取り付けられている台３と、を備えている。台３は、川底６０に埋設することにより固定されている。フレーム２は、略中位置に回転軸４を有しており、回転軸４には、水車５と、この水車５と一緒に回転する歯車６とが回転自在に取り付けられている。水車５は、回転軸４に放射状に複数設けられた水受け５ａを有している。各水受け５ａは、回転軸方向に伸びる桶形状であって、水流方向から見て表側が凹状で、裏側が凸状とされている。水車５は、水が流れてくる向きに向かって、水受け５ａの表側が回転軸４の下側に位置するように取り付けられている。フレーム２の上部には、歯車６の回転数を増加する変速機７を介して連結されている発電用モータ８が取り付けられている。発電用モータ８からは、一般の発電機と同様に、例えば陸地に設けてある被給電場所又は蓄電池（図示せず）に向けて発電した電力を送る送電線（図示せず）が伸びている。
【００１７】
フレーム２には、上流側の水を集めて水受け５ａの表側に導く吸込口９と、吸込口９に隣接して設けられており、水受け５ａの裏側に直接水が当たらないように遮る遮蔽材１０が設けられている。この構成を採用することにより、水は水受け５ａの表側に効率良く集められ、結果、水車５は効率良く回転する。
【００１８】
更にフレーム２には、水受け５ａの表側が吸込口９と正面で向かい合う位置（Ｐ０位置）から、水受け５ａの表側が下流側に１／４回転した位置（Ｐ２位置）までの間に、水車５の外周に沿って設けられる湾曲した板状のガイド路１１が設けられている。ガイド路１１は、水が水受け５ａに力を与える経路長Ｌ１をＰ０位置からガイド路１１の終端位置にまでのばして、効率の良い発電を実現する。なお、ガイド路１１の終端位置は、使用条件を考慮して、１／８回転した位置（Ｐ１位置）〜１／４回転した位置（Ｐ２位置）の内、最も発電効率が良くなる位置に設定するが、１／４回転した位置（Ｐ２位置）に近い方が好ましい。また、入口に堰を設けてガイド路に相当する部分を形成する場合に比べ、勢いよく水を水受け５ａに当てることができ、効率良く発電することができる。
【００１９】
フレーム２は、回転軸４が水平方向となるように水車５を支持しており、吸い込み口９の全部、そして遮蔽材１０の下部が水面７０の下となる位置に配置される。
【００２０】
水車５、変速機７、発電用モータ８の構成について説明する。図２は、遮蔽材１０を取り外した状態の水力発電装置１の斜視図を示す。水車５は、２つの水車５ｂ、５ｃで構成されている。２つの水車５ｂ、５ｃの間には、歯車６が設けられている。歯車６は、水車５ｂ、５ｃの直径よりも大きな直径を有しており、周囲に約６０個の歯を備えている。発電用モータ８は、向かい合う２つのモータ８ａ、８ｂで構成されている。２つのモータ８ａ、８ｂの回転軸は、同軸位置に配置されており、１つの歯車８ｃに取り付けられている。歯車８ｃは、歯車６と比べて小さな直径で、約１０個の歯を備えており、歯車６と噛合している。歯車８ｃは、歯車６の回転数を増加してモータ８ａ、８ｂの回転軸に伝える変速機７を構成している。歯車６と歯車８ｃとのギア比は、高い方が効率良く発電できるが、発電用モータ８を回転させるのに十分な力が得られる値に設定する。
【００２１】
水力発電装置１に設けられている高さ調節手段１２ａ、１２ｂ、１２ｃ、１２ｄについて説明する。図２に示すように、フレーム２は、略直方体状で、４隅に柱フレーム２ａ，２ｂ、２ｃ、２ｄを備えている。高さ調節手段１２ａ〜１２ｄは、クランクハンドル２ｍ，２ｎ，２ｏ、２ｐを回転させて４つの柱フレーム２ａ〜２ｄに回転可能に貫通しているロッド２ｉ、２ｊ、２ｋ、２ｌの下方への突出量を調節してフレーム２の高さを調節する。４本の柱フレーム２ａ〜２ｄには、上下方向に貫通する孔２ｅ、２ｆ、２ｇ、２ｈが設けられている。各孔２ｅ、２ｆ、２ｇ、２ｈには、周囲にネジが付されているロッド２ｉ、２ｊ、２ｋ、２ｌが貫通するように嵌められている。４本のロッド２ｉ〜２ｌの下端は、回動させやすいように尖っており、上端にはロッド２ｉ、２ｊ、２ｋ、２ｌを回転するためのクランクハンドル２ｍ、２ｎ、２ｏ、２ｐが取り付けられている。柱フレーム２ａ〜２ｄの下部は、台３に固着されている４本の筒状の支持部２ｑ、２ｒ、２ｓ、２ｔに嵌め込まれている。川底６０に台３を埋設した後に、クランクハンドル２ｍ、２ｎ、２ｏ、２ｐを回転させることにより、柱フレーム２ａ，２ｂ、２ｃ、２ｄからのロッド２ｉ、２ｊ、２ｋ、２ｌの下方への突出量を調節し、水車５の高さを所望の位置に設定する。所望の高さは、水車５が完全に水面７０の下になり、この水面７０が発電用モータ８よりも下になる高さである。
【００２２】
水力発電装置１は、河川だけでなく、一方向に流れている水のある場所、例えば、人口の用水路でも使用できる。人口の用水路の場合、コンクリート製の底面に台３を嵌め込む凹部を形成して、台３をしっかりと固定することができる。図４に示すように、川の本流６１から分岐した１本の用水路６２に、複数、例えば５台の水力発電装置１ａ，１ｂ，１ｃ，１ｄ，１ｅを直列に配設して、より多くの発電を行うようにしてもよい。
【００２３】
（第２実施形態）
図５乃至図８は、第２実施形態に係る水力発電装置２１を示す。水は、図５の右側面図において左から右、図６の左側面図において右から左へと流れている。水力発電装置２１は、水面７０より下の位置に水車２５を配置する点と、水車の水受けの裏側に水が流れ込むのを抑制し、表側に効率良く水を集める流れ込み抑制部３２を備えた点とが、第１実施形態の水力発電装置１と異なる。水力発電装置１と同様の構成要素には、同じ名称を用いて説明する。水力発電装置２１は、略直方体状のフレーム２２と、フレーム２２の脚部が取り付けられている台２３とを備えている。台２３は、川底６０に埋設することにより固定されている。フレーム２２は、略中央位置に水平方向の回転軸２４を有しており、回転軸２４には、水車２５と、この水車２５と一緒に回転する歯車２６とが回転自在に取り付けられている。水車２５は、回転軸２４に放射状に複数設けられた水受け２５ａを有している。各水受け２５ａは、半球状のお椀形であって、水流方向から見て表側が凹状で、裏側が凸状となっている。水車２５は、水の流れてくる方向に向かって、水受け２５ａの表側が回転軸２４の上側に位置するように取り付けられている。フレーム２２の上部には、歯車２６の回転数を増加する変速機２７を介して連結されている発電用モータ２８が取り付けられている。発電用モータ２８からは、一般の発電機と同様に、例えば陸地に設けてある被給電場所又は蓄電池（図示せず）に向けて発電した電力を送る送電線（図示せず）が伸びている。
【００２４】
フレーム２２には、上流側の水を集めて水受け２５ａの表側に導く吸込口２９と、吸込口２９に隣接して設けられており、水受け２５ａの裏側に直接水が当たらないように遮る遮蔽材３０とが設けられている。このような構成を採用することにより、水の力を水受け２５ａの表側に効率良く集めて、水車２５を効率良く回転させる。
【００２５】
フレーム２２には、発電用モータ２８の下流側端の位置から、水車２５の外周に沿うように、ガイド板３１が設けられている。発電用モータ２８の底面及びガイド板３１は、水受け２５ａの表側が吸込口２９と正面で向かい合う位置（Ｐ３位置）から、水受け２５ａの表側が下流側に１／４（Ｐ５位置）だけ回転した位置までの間に、水車２５の外周に沿って水を流すガイド路を形成する。即ち、ガイド板３１を用いることにより、水が水受け５ａに力を与える経路長Ｌ２をＰ３位置からガイド板３１の終端位置にまでのばして、効率の良い発電を実現する。なお、ガイド板３１の終端位置は、使用条件を考慮して、１／８回転した位置（Ｐ４位置）〜１／４回転した位置（Ｐ５位置）の内、最も発電効率が良くなる位置に設定するが、１／４回転した位置（Ｐ５位置）に近い方が好ましい。
【００２６】
遮蔽材３０の裏側、水受け２５ａの表側が吸込口２９と正面で向かい合う位置（Ｐ３位置）より下流側に１／２回転した位置（Ｐ６位置）から、吸込口（Ｐ７位置）までの間には、水車２５の外周に沿う板状部材で作られた水の流れ込み抑制部３２が設けられている。流れ込み抑制部３２を設けたことにより、水受け２５ａの裏側方向への通路が狭くなり、結果、水受け２５ａの表側へ多くの水が流れ込み、効率良く水車２５を回転することができる。
【００２７】
フレーム２２は、吸い込み口２９、遮蔽材３０、ガイド板３１及び流れ込み抑制部３２が水面７０の下で、発電用モータ２８が水面７０の上となる位置に配置される。フレーム２２を構成する４本の柱フレームに、第１実施例の水力発電装置１が備えていた高さ調節手段１２ａ、１２ｂ、１２ｃ、１２ｄを備えても良い（図３を参照）。これにより、所望の高さに設定可能となる。
【００２８】
水車２５、変速機２７、発電用モータ２８の構成について説明する。図７の正面図及び図８の背面図に明らかに示すように、水車２５は、２つの水車２５ｂ、２５ｃで構成されている。２つの水車２５ｂ、２５ｃの隣には、それぞれ歯車２６ａ、２６ｂが設けられている。また、２つの水車２５ａ、２５ｂには、それぞれガイド板３１ａ、３１ｂが取り付けられている。歯車２６ａ、２６ｂは、水車２５ｂ、２５ｃの直径よりも大きな直径を有しており、周囲に約６０個の歯を備えている。発電用モータ２８は、同一方向に向いている２つのモータ２８ａ、２８ｂで構成されている。２つのモータ２８ａ、２８ｂの回転軸には、それぞれ歯車２８ｃ、２８ｄが取り付けられている。歯車２６ａ、２６ｂと歯車２８ａ、２８ｂとの間には、回転数を増加させる中間歯車２７ａ、２７ｂが設けられている。歯車２８ｃ、２８ｄは、歯車２６ａ、２６ｂ、２７ａ、２７ｂと比べて非常に小さな直径で、約１０個の歯を備えており、歯車２７ａ、２７ｂと噛合している。このように、歯車２７ａ、２７ｂ、２８ｃ、２８ｄは、歯車２６ａ、２６ｂの回転数を増加してモータ２８ａ、２８ｂの回転軸に伝える変速機２７を構成している。歯車２６ａ、２６ｂ、２７ａ、２７ｂと歯車２８ｃ、２８ｄとのギア比は、高い方が効率良く発電できるが、２つのモータ２８ａ、２８ｂを回転させるのに十分な力が得られる値に設定する。
【００２９】
（第３実施形態）
図９乃至図１４は、第３実施形態に係る水力発電装置４１を示す。水力発電装置４１は、第２実施形態の水力発電装置２１と比べて、水車４５の回転軸４４を垂直方向に設置し、水を集めて水受け４５ａの表側に当てる２つの吸込口４９ａ、４９ｂを備えたことを特徴とする。水力発電装置２１と同様の構成要素には、同じ名称を用いて説明する。図９に示す斜視図は、構成の理解の容易化のため、フレーム、変速機及び発電用モータ等を省略し、水車４５、２つの吸込口４９ａ、４９ｂ、遮蔽材５０、ガイド路５１及び流れ込み抑制部５２の関係を示す。上流から流れてくる水は、２つの矢印５５ａ、５５ｂに従い２つの吸込口４９ａ、４９ｂに入り、水車４５を回転する。遮蔽材５０及び流れ込み抑制部５２の構成及び働きは、水力発電装置２１の遮蔽材３０及び流れ込み抑制部３２と同じである。ガイド路５１の構成及び働きは、第１実施形態の水力発電装置１のガイド路１１と同じである。
【００３０】
図１０乃至図１４では、フレーム４２と区別するため、２つの吸い込み口４９ａ、４９ｂ、遮蔽材５０、流れ込み抑制部５２にそれぞれ斜線を付して示す。水力発電装置４１は、第２実施形態の水力発電装置２１のフレーム２２と横倒しにした形状のフレーム４２と、フレーム４２の脚部が取り付けられている台４３とを備えている。台４３は、川底６０に埋設することにより固定されている。フレーム４２には、略中央位置に垂直方向に伸びている回転軸４４を有しており、回転軸４４には、水車４５と、この水車４５と一緒に回転する歯車４６とが回転自在に取り付けられている。水車４５は、回転軸４４に放射状に複数設けられた水受け４５ａを有している。各水受け４５ａは、回転軸方向に伸びる桶形状であって、水流方向から見て表側が凹状で、裏側が凸状とされている。フレーム４２には、歯車４６の回転数を増加する変速機４７を介して連結されている発電用モータ４８が取り付けられている。なお、発電用モータ４８からは、一般の発電機と同様に、陸地に設けてある被給電場所又は蓄電池（図示せず）に向けて発電した電力を送るための電線（図示せず）が伸びている。
【００３１】
フレーム４２には、上流から流れてくる水を集めて水受け４５ａの表側へと導く２つの吸込口４９ａ、４９ｂと、吸込口４９ａの隣接位置に設けられ、水受け４５ａの裏側に直接水が当たらないように遮る遮蔽材５０とが設けられている。この構成を採用することにより、水の力を水受け４５ａの表側に効率良く集めて、水車４５を効率良く回転させる。
【００３２】
更にフレーム４２には、水受け４５ａの表側が吸込口４９ａと正面で向かい合う位置（Ｐ８位置）から、水受け４５ａの表側が下流側に１／４（Ｐ１０位置）だけ回転した位置まで、水車４５の外周に沿って設けられるガイド路５１が設けられている。ガイド路５１は、水が水受け４５ａに力を与える経路長Ｌ３をＰ８位置からガイド路５１の終端位置にまでのばして、効率の良い発電を実現する。なお、ガイド路５１の終端位置は、使用条件を考慮して、１／８回転した位置（Ｐ９位置）〜１／４回転した位置（Ｐ１０位置）の内、最も発電効率が良くなる位置に設定するが、１／４回転した位置（Ｐ１０位置）に近い方が好ましい。
【００３３】
遮蔽材５０の裏側、水受け４５ａの表側が吸込口４９ａと正面で向かい合う位置（Ｐ８位置）より下流側にさらに１／２回転した位置（Ｐ１１位置）から、吸込口（Ｐ１２位置）までの間には、水車４５の外周に沿って水の流れ込み抑制部５２が設けられている。遮蔽材５０に加えて、流れ込み抑制部５２を設けたことにより、水受け４５ａの裏側方向への通路が狭くなり、結果、水受け４５ａの表側へ多くの水が流れ込み、効率良く水車４５を回転することができる。
【００３４】
図１３に示すように、フレーム４２は、水車４５が水面７０の下、発電用モータ４８が水面７０の上となる位置に配置される。フレーム４２を構成する４本の柱フレームに、第１実施例の水力発電装置１が備えていた高さ調節手段１２ａ、１２ｂ、１２ｃ、１２ｄを備えても良い（図３を参照）。これにより、所望の高さに設定可能となる。
【００３５】
変速機４７、発電用モータ４８の構成について説明する。図１０の上面図と図１３の背面図とに明確に示されているように、水車４５と同軸に取り付けられている歯車４６は、中間歯車４７ａ、連結ベルト４７ｂ、歯車４８ａを介して発電用モータ４８の回転軸に連結されている。中間歯車４７ａは、歯車４６よりも少ない歯の数を有しており、歯車４６の回転数を増加して発電用モータの回転軸に伝える。このように、歯車４７ａ、連結ベルト４７ｂ、歯車４８ａは、歯車４６の回転数を増加して発電用モータ４８の回転軸に伝える変速機４７を構成している。歯車４６、４７ａのギア比は高い方が効率良く発電できるが、発電用モータ４８を回転させるのに十分な力が得られる値に設定する。
【００３６】
なお、本発明は、上記各種実施形態の構成に限られず、発明の趣旨を変更しない範囲で種々の変形が可能である。例えば、発電用モータ８、２８、４８は、防水仕様のものを用いてもよい。この場合、例えば１日又は１年という期間内に、水位が大きく変わるような場所でも使用することができる。
【産業上の利用可能性】
【００３７】
本発明の水力発電装置は、一方向に流れている水がある場所であれば、河川以外に、雨どいを含む排水路、使用済みの廃液を排出する廃液路等に用いることができる。
【符号の説明】
【００３８】
１、２１、４１    水力発電装置
２、２２、４２    フレーム
３、２３、４３    台
４、２４、４４    回転軸
５、２５、４５    水車
５ａ、２５ａ、４５ａ  水受け
６、２６、４６    歯車
７、２７、４７    変速機
８、２８、４８    発電用モータ
９、２９、４９ａ、４９ｂ  吸込口
１０、３０、５０    遮蔽材
１１、５１    ガイド路
３１          ガイド板
３２、５２    流れ込み抑制部
１２ａ、１２ｂ、１２ｃ、１２ｄ  高さ調節手段
【図１】
2014227986.tif 000003
【図２】
2014227986.tif 000004
【図３】
2014227986.tif 000005
【図４】
2014227986.tif 000006
【図５】
2014227986.tif 000007
【図６】
2014227986.tif 000008
【図７】
2014227986.tif 000009
【図８】
2014227986.tif 000010
【図９】
2014227986.tif 000011
【図１０】
2014227986.tif 000012
【図１１】
2014227986.tif 000013
【図１２】
2014227986.tif 000014
【図１３】
2014227986.tif 000015
【図１４】
2014227986.tif 000016